(57)【特許請求の範囲】
【請求項１】
内周側に回転軸を支持する軸受面を有する軸受本体と、該軸受本体を支持する軸受台とを備え、これら軸受本体と軸受台との間の接触支持面が前記回転軸の軸線を含む断面において円弧状をなすジャーナル軸受において、
前記接触支持面に潤滑油を供給する潤滑油供給手段と、
前記軸受本体と前記軸受台との片当たりを検出する片当たり検出手段とを備え、
前記潤滑油供給手段は、
前記片当たり検出手段による片当たりの検出値が予め設定した閾値を越えた場合に、前記潤滑油の供給動作を行い、
該供給動作の開始時から一定時間経過後における前記片当たりの検出値が、依然として前記閾値を超えている場合には、さらに高い圧力での前記潤滑油の供給動作を行うことにより、供給する前記潤滑油の圧力を段階的に大きくすることを特徴とするジャーナル軸受。
【請求項２】
前記潤滑油供給手段は、
前記潤滑油の供給動作を、前記一定時間よりも短く定められた所定時間にわたってのみ行うことを特徴とする請求項１に記載のジャーナル軸受。
【請求項３】
前記片当たり検出手段は、
軸線方向に離間して配されて前記接触支持面付近の物理量を測定する一対のセンサを備え、
これらセンサによって検出される物理量の差分が、片当たりの検出値とされることを特徴とする請求項１又は２に記載のジャーナル軸受。
【請求項４】
前記物理量は、温度、応力、変位のいずれかであることを特徴とする請求項３に記載のジャーナル軸受。
【発明の詳細な説明】
【技術分野】
【０００１】
本発明は、例えば、蒸気タービンやコンプレッサ等の大型の回転機械の回転軸を支持するジャーナル軸受に関するものである。
【背景技術】
【０００２】
従来より、内周側に回転軸を支持する軸受面を有する軸受本体と、該軸受本体の外周側に配設され、該軸受け本体を支持する軸受台を備えたジャーナル軸受が知られている（例えば、特許文献１参照）。軸受台は回転機械のケーシングに固定されており、軸受本体の内周面には潤滑特性を向上させるために、例えばホワイトメタル等の軸受メタルが設けられている。
【０００３】
また、軸受本体の外周面には球面加工が施されており、この外周面が軸受台の球面座に係合支持されている。この軸受本体の外周面の曲率と軸受台の球面座の曲率は略同一寸法に設定されている。したがって、この球面によって軸受本体は球面の中心回りに滑るように揺動可能となるため、回転軸の組立の際に予め軸線のアライメント量を考慮した上で、回転軸と軸受本体とのそれぞれの軸線が平行になるように設置することができる。また、回転軸の回転中において該回転軸のアライメントが変化した場合でも、回転軸の傾きに対応して追従するようにして、軸受本体が傾斜して調心機能を発現し、軸受機能が損なわれることを防止することができる。
【０００４】
なお、特許文献１に記載のジャーナル軸受においては、球面座に発生する摩擦力を低減させてアライメント性能を向上させるため、球面座に油溝を形成し、当該油溝に潤滑油を供給する手法が提案されている。また、回転軸を回転始動させる際には、球面座の油溝に高圧の潤滑油を供給することで、軸受本体と軸受台との接触抵抗を減少させ、回転軸を円滑に回転することができるようにしている
【先行技術文献】
【特許文献】
【０００５】
【特許文献１】特開平５−２６８７４３号公報
【発明の概要】
【発明が解決しようとする課題】
【０００６】
ところで、蒸気タービンやコンプレッサ等の回転機械の運転中においては、負荷や外気温などの運転条件によるケーシング内の温度や圧力によって軸受台が変形することがあり、この結果、回転軸のアライメントや傾きが大きく変化することがある。そして、特に、回転体の両端を支持する一対のジャーナル軸受のいずれか一方が変形した際、あるいは、一対のジャーナル軸受が異なる変形をした際には、回転軸が大きく傾くことによって、該回転体を支持する軸受本体と軸受台との間の接触支持面においていわゆる片当たり現象が発生する。この片当たり現象により、異常発熱が生じ、その結果軸受本体と軸受台との焼き付きに至ってしまうおそれがあった。
【０００７】
本発明は、上記課題に鑑みてなされたものであって、軸受本体と軸受台との片当たりを抑制することができるジャーナル軸受を提供することを目的とする。
【課題を解決するための手段】
【０００８】
前記課題を解決するため、この発明は以下の手段を提案している。
即ち、本発明に係るジャーナル軸受は内周側に回転軸を支持する軸受面を有する軸受本体と、該軸受本体の外周側に設けられた軸受台とを備え、これら軸受本体と軸受台との間の接触支持面が前記回転軸の軸線を含む断面において円弧状をなすジャーナル軸受において、前記接触支持面に潤滑油を供給する潤滑油供給手段と、前記軸受本体と前記軸受台との片当たりを検出する片当たり検出手段とを備え、前記潤滑油供給手段は、前記片当たり検出手段による片当たりの検出値が予め設定した閾値を越えた場合に、前記潤滑油の供給動作を行い、該供給動作の開始時から一定時間経過後における前記片当たりの検出値が、依然として前記閾値を超えている場合には、さらに高い圧力での前記潤滑油の供給動作を行うことにより、供給する前記潤滑油の圧力を段階的に大きくすることを特徴とする。
【０００９】
このような特徴のジャーナル軸受によれば、接触支持面に片当たりが発生した際に、該接触支持面に対して潤滑油を供給することができるため、接触支持面に作用する荷重を低減することができるとともに、該接触支持面による自動調心作用を促すことができる。
【００１１】
ここで、潤滑油が過剰な圧力で供給される場合、軸受本体が軸受台から当該潤滑油の油膜によって分離されてしまう現象（以下、油膜分離と称する）が生じてしまう。この油膜分離が発生すると、回転体や軸受系に振動が生じ、回転体の安定回転が妨げられる他、軸受の信頼性が失われてしまう。
これに対して本願発明においては、潤滑油の圧力を段階的に大きくする構成のため、過剰な圧力の潤滑油が接触支持面に作用することを回避して、潤滑油による油膜分離を防止することができる。
【００１３】
このように段階的に潤滑油の圧力を大きくすることで、潤滑油による油膜分離を確実に防止することができる。また、後述するように、例えば片当たり検出手段が接触支持面付近の温度に基づいて片当たりの度合いを取得する場合には、潤滑油を供給後に接触支持面における自動調心作用が発現されても、これにより変化した温度を片当たり検出手段が検出するまでにはある程度の時間を要する。よって、潤滑油の供給動作を一旦行った後、しばらく経過してから再度の潤滑油の供給動作を行うことにより、自動調心作用を有効に活かすことができる。これにより、潤滑油の供給量の節約も図りながら円滑に片当たりを抑制することができる。
【００１４】
また、本発明に係るジャーナル軸受において前記潤滑油供給手段は、前記潤滑油の供給動作を、前記一定時間よりも短く定められた所定時間にわたってのみ行うことを特徴とする。
【００１５】
このような特徴のジャーナル軸受によれば、潤滑油の圧力を単に段階的に大きくするのではなく、所定時間だけ潤滑油を供給した後に一旦供給を停止し、続いて潤滑油を供給する際には前回の供給動作よりも圧力の高い潤滑油を供給するといった段階的な供給動作が行われる。これによって、潤滑油の過剰な供給を回避しつつ、適切な供給圧力で自動調心作用を機能させることができ、滑油の供給量も節約しながら効果的に片当たりの防止を図ることができる。
【００１６】
さらに、本発明に係るジャーナル軸受において、前記片当たり検出手段は、軸線方向に離間して配されて前記接触支持面付近の物理量を測定する測定する一対のセンサを備え、これらセンサによって検出される物理量の差分が、片当たりの検出値とされることを特徴とする。
【００１７】
片当たりが発生した際には、接触支持面における回転体の軸線方向のいずれか一方側のみにおいて軸受本体と軸受台とが接触することになる。したがって、接触支持面の軸線方向の両側にセンサを取り付けて、該センサが検出する物理量の差分を取得することにより、片当たりの度合いを取得することができる。
【００１８】
また、本発明に係るジャーナル軸受において、前記物理量は、温度、応力、変位のいずれかであることを特徴とする。
【００１９】
片当たりが発生した際には、接触支持面における回転体の軸線方向のいずれか一方側のみにおいて、発熱量の増加、接触圧の増加あるいは変形が生じる。したがって、上記一対のセンサでもって温度、応力、変位のいずれかを検出して、これらの差分を把握することで、片当たりの度合いを適切に取得することができる。
【発明の効果】
【００２０】
本発明のジャーナル軸受によれば、接触支持面に片当たりが発生した際に該接触支持面に対して潤滑油を供給することにより、接触支持面に作用する荷重を低減し、かつ、片当たりの接触支持面における接触支持面の自動調心作用を促すことで、該片当たりを抑制することが可能となる。
【図面の簡単な説明】
【００２１】
【図１】本発明の実施形態に係るジャーナル軸受を備えた回転機械の概略構成図である。
【図２】本発明の実施形態に係るジャーナル軸受の概略構成図である。
【図３】本発明の実施形態に係るジャーナル軸受における潤滑油供給手段の制御部の処理の流れを示すフローチャートである。
【図４】潤滑油供給手段により潤滑油を供給する際の温度と圧力とを示すグラフの一例である。
【発明を実施するための形態】
【００２２】
以下、本発明の実施形態について図１〜図４を参照して詳細に説明する。
図１は、実施形態のジャーナル軸受１０（１０Ａ，１０Ｂ）を備えた回転機械１の概略構成図である。回転機械１は、上記タービンやコンプレッサ等の大型の装置であって、ケーシング４内部に、動翼等の回転部２を支持する回転軸３を備えており、該回転軸３の軸線Ｏ方向一方側及び他方側に、該回転軸３を軸線Ｏ回りに回転可能に支持する一対のジャーナル軸受１０Ａ，１０Ｂが設けられている。
【００２３】
ジャーナル軸受１０は、図１及び図２に示すように、軸受本体２０と、軸受台３０と、潤滑油供給手段４０と、片当たり検出手段５０とを備えて構成されている。
【００２４】
軸受本体２０は、図１及び図２に示すように、回転軸３の外周側に配されて、内周面が回転軸３の外周面と摺接可能とされた軸受メタル２１と、この軸受メタル２１のさらに外周側に配されて、該軸受メタル２１に一体に固定された軸受ハウジング２２とから構成されている。この軸受本体２０においては、上記軸受メタル２１の内周面が軸受面２０ａとされており、該軸受面２０ａを低摩擦面とすることにより、回転軸との潤滑特性の向上が図られている。
【００２５】
また、この軸受ハウジング２２の外周面である軸受本体２０自体の外周面２０ｂは、回転軸３の軸線Ｏを含む断面において該軸線Ｏの径方向外側に凸となる円弧状に形成されており、即ち、該円弧が軸線Ｏ周方向全域にわたって延在する球面状に形成されている。
【００２６】
軸受台３０は、回転機械１のケーシング４の内面から軸線Ｏ径方向内側に向かって延出するように設けられており、上記軸受本体２０をその外周側から支持している。即ち、軸受台３０には、軸線Ｏ方向に貫通する孔部３０ａが設けられており、この孔部３０ａの内周面が軸受本体２０の外周面２０ｂに周方向にわたって接触することで該軸受本体２０を支持している。
【００２７】
このような孔部３０ａの内周面である軸受台３０自体の内周面は、回転軸３の軸線Ｏを含む断面において該軸線Ｏの径方向外側に凸となる円弧状に形成された球面座３０ｂとされており、即ち、この球面座３０ｂは上記円弧が軸線Ｏ周方向全域にわたって延在する球面状に形成されている。そして、球面座３０ｂの曲率が軸受本体２０の外周面２０ｂの曲率と略同一に設定されることで、球面座３０ｂと軸受本体２０の外周面２０ｂとがその全域において互いに接触している。
【００２８】
そして、これら球面座３０ｂと軸受本体２０の外周面２０ｂとによって、軸受本体２０と軸受台３０との間の接触支持面１１が形成されており、軸受本体２０はこの接触支持面１１の球面形状にしたがって該球面形状の中心回りに滑るように揺動可能とされている。これにより、軸受本体２０と軸受台３０とによる自動調心作用が発現され、回転軸３に多少の傾きが生じた場合には、自動的に回転軸３の傾きが片当たりのない適切な状態に復帰される。
【００２９】
また、この軸受台３０の球面座３０ｂには、図２に示すように、該球面座３０ｂの中心付近において一段軸線Ｏの径方向外側に窪むように形成された油溝３１が形成されている。この油溝３１には、潤滑油供給手段４０によって潤滑油が供給される。
【００３０】
潤滑油供給手段４０は、図２に示すように、軸受台３０内に穿設されて一端が上記油溝３１に開口する潤滑油供給路４１と、潤滑油が貯蔵された潤滑油貯蔵部４２と、該潤滑油貯蔵部４２から潤滑油供給路４１に対して潤滑油を供給可能なポンプ装置４３と、制御部４６とから構成されている。
【００３１】
ポンプ装置４３は、潤滑油貯蔵部４２の潤滑油を潤滑油供給路４１に対して汲み上げ可能に構成されたポンプ本体４４と、該ポンプ本体４４を任意の出力で駆動可能な駆動源４５とから構成されている。制御部４６は、後述する片当たり検出手段５０からの入力に基づいて、駆動源４５を所定の出力で駆動させることで、ポンプ装置４３に潤滑油の供給を行わせる。
【００３２】
片当たり検出手段５０は、一対の熱電対等の温度センサ５１，５１から構成されている。これら温度センサ５１，５１は接触支持面１１付近において互いに軸線Ｏに離間するように配置されており、本実施形態においては、軸受台３０の球面座３０ｂの軸線Ｏ方向に互いに離間した位置において該球面座３０ｂに埋没されるようにして設けられている。これら温度センサ５１，５１においては、検知する温度に基づいた出力がそれぞれ制御部４６に入力されるようになっている。
【００３３】
ここで、潤滑油供給手段４０における制御部４６の処理の流れについて図３に示すフローチャートを参照して説明する。潤滑油供給手段４０においては、制御部４６が以下の処理を行うことによって、供給する潤滑油の圧力を段階的に増加させる。
【００３４】
即ち、回転機械１の運転の開始に伴い制御部４６の処理が開始すると、まず制御部４６は、該制御部４６に入力される一対の温度センサ５１，５１の出力の差分、即ち、温度の差分ΔＴが、予め定めた閾値ΔＴａ以上となっているか否かを判断する（ステップＳ１）。ここで、閾値ΔＴａとは、片当たりが発生する程度の温度センサ５１，５１が検出する温度の差分を意味している。
【００３５】
温度の差分ΔＴが閾値ΔＴａ未満と判断した場合（ステップＳ１：Ｎｏ）、制御部４６は、温度の差分ΔＴが予め定めた閾値ΔＴａ以上になるまで待機する処理を行う。
一方、上記差分ΔＴが閾値ΔＴａ以上となったと判断した場合、（ステップＳ１：Ｙｅｓ）、制御部４６は、ポンプ装置４３に対して所定の圧力で潤滑油の供給を開始させる処理を行う（ステップＳ２）。
【００３６】
次に、制御部４６は、潤滑油の供給が開始されてから、予め定められた供給継続時間ｔａが経過したか否か判断する（ステップＳ３）。ここで、供給継続時間ｔａとは、一定の圧力による潤滑油の供給を連続して行う時間を意味している。
一定時間ｔａが未経過と判断した場合（ステップＳ３：Ｎｏ）、制御部４６は一定時間ｔａが経過するまで待機する。
一方、一定時間ｔａが経過したと判断した場合（ステップＳ３：Ｙｅｓ）、制御部４６はポンプ装置４３に対して潤滑油の供給を停止させる処理を行う（ステップＳ４）。具体的には、制御部４６が、ポンプ装置４３における駆動源４５に対してその駆動を停止させる指令を送出する。
【００３７】
続いて、制御部４６は、潤滑油の供給が開始されてから供給間隔時間ｔｂが経過したか否か判断する（ステップＳ５）。ここで、供給間隔時間ｔｂとは、段階的に圧力を増加させる場合における該段階の間隔を意味しており、上記供給継続時間ｔａよりも長い時間に設定されている。
【００３８】
供給間隔時間ｔｂが未経過と判断した場合（ステップＳ５：Ｎｏ）、制御部４６は供給間隔時間ｔｂが経過するまで待機する。
一方、供給間隔時間ｔｂが経過したと判断した場合（ステップＳ５：Ｙｅｓ）、制御部４６は、制御部４６に入力される一対の温度センサ５１，５１の出力の差分、即ち、温度の差分ΔＴが、予め定めた閾値ΔＴａ以上となっているか否かを判断する（ステップＳ６）。
【００３９】
温度の差分ΔＴが予め定めた閾値ΔＴａ未満となっていると判断した場合（ステップＳ６：Ｎｏ）、制御部４６の処理はステップＳ１に戻り、再び温度の差分ΔＴが閾値ΔＴａ以上となるまで待機する。
一方、温度の差分ΔＴが、依然として閾値ΔＴａ以上となっていると判断した場合（ステップＳ６：Ｙｅｓ）、潤滑油供給停止前よりも一段高い圧力で潤滑油供給した場合に、予め定めた潤滑油の最大圧力Ｐｍａｘを超えてしまうか否かを判断する（ステップＳ７）。ここで、潤滑油の最大圧力Ｐｍａｘとは、軸受本体２０と軸受台３０とが供給される潤滑油によって油膜分離されてしまう程度の該潤滑油の圧力を意味している。
【００４０】
制御部４６が潤滑油の最大圧力Ｐｍａｘを超えると判断した場合（ステップＳ７：Ｙｅｓ）、制御部４６の処理は終了する。これにより、供給される潤滑油が最大圧力Ｐｍａｘを超えてしまうことが防止される。
一方、潤滑油の最大圧力Ｐｍａｘを下回ると判断した場合（ステップＳ７；Ｙｅｓ）、制御部４６は、ポンプ装置４３に対して、潤滑油供給停止前よりも一段階高い圧力、即ち、最後に潤滑油を供給した際よりも一段階高い圧力で潤滑油の供給を開始させる処理を行う（ステップＳ８）。
【００４１】
このステップＳ８の後、制御部は再びステップＳ３〜Ｓ７の処理を繰り返す。これにより、温度の差分ΔＴが閾値ΔＴａ以下とならず、かつ、供給される潤滑油の圧力が最大圧力Ｐｍａｘを超えない限り、供給される潤滑油の圧力が段階的に増加していく。
【００４２】
次に、以上のような構成のジャーナル軸受１０の動作について、図４を参照して具体的な例を踏まえながら説明する。
回転機械１の運転が開始された後、回転軸３が通常に回転している場合、軸受本体２０と軸受台３０とはその間の接触支持面１１において軸線Ｏ方向全域において略均等に接触しているため、一対の温度センサ５１，５１が検出する温度には差が生じることはなく、差が生じた場合であっても閾値ΔＴａ未満となる。
【００４３】
ここで、回転機械１の運転中に負荷や外気温等の運転条件によってケーシング４内部の温度や圧力等が変化すると、回転軸３を支持する一対のジャーナル軸受１０Ａ，１０Ｂのいずれか一方が変形することにより、あるいは、一対のジャーナル軸受１０Ａ，１０Ｂが異なる変形をすることにより、回転軸３が当初の軸線Ｏから傾斜する。この場合、それぞれのジャーナル軸受１０においては、軸受本体２０と軸受台３０との間の接触支持面１１において、軸線Ｏ方向の片側のみにおいて軸受本体２０と軸受台３０とが接触してしまういわゆる片当たり現象が発生する。
【００４４】
このような片当たり現象が発生すると、接触支持面１１においては、軸受本体２０と軸受台３０が互いに接触する片側のみで摩擦熱が生じる。これによって、図４（ａ）の時間ｔ０に示すように、一対の温度センサ５１，５１の検出に基づく温度の差分ΔＴの値が、閾値ΔＴａ以上となる。これにより、図４（ｂ）の時間ｔ０に示すように、ポンプ装置４３により潤滑油供給路４１に圧力Ｐ１の潤滑油が供給される。
【００４５】
そして、この潤滑油が潤滑油供給路４１を通過して油溝３１に至ると、軸受本体２０の外周面２０ｂと軸受台３０の球面座３０ｂとの間、即ち、接触支持面１１に圧力Ｐ１の潤滑油が供給される。この潤滑油の供給動作は、供給継続時間ｔａにわたってのみ行われる。この際、潤滑油の圧力Ｐ１により、接触支持面１１における片当たり部分に作用する荷重が低減される。さらに、潤滑油の圧力Ｐ１により接触支持面１１による自動調心作用の発現が促される。
【００４６】
図４（ａ）の時間ｔ１に示すように、上記圧力Ｐ１での潤滑油の供給が開始されてから供給間隔時間ｔｂが経過した後に、温度の差分ΔＴが依然として閾値Ｔａを超えている場合には、図４（ｂ）に示すように、潤滑油供給停止前よりも一段高い圧力Ｐ２で潤滑油の供給動作が行われる。この圧力Ｐ２での潤滑油の供給動作も供給継続時間ｔａだけ行われる。
【００４７】
この潤滑油の圧力Ｐ２により、上記同様、接触支持面１１における片当たり部分に作用する荷重が低減され、さらに、接触支持面１１による自動調心作用の発現が促される。そして、当該潤滑油の供給動作開始後、供給継続時間ｔａが経過すると潤滑油の供給が停止される。その後、図４（ａ）の時間ｔ２に示すように、温度の差分ΔＴが依然として閾値Ｔａを超えている場合には、図４（ｂ）に示すように、潤滑油供給停止前よりもさらに一段高い圧力Ｐ３で潤滑油が供給される。
【００４８】
そして、この圧力Ｐ３の潤滑油により、片当たりの荷重が低減されるとともに自動調芯作用が促された結果、片当たりが完全解消されると、図４（ｂ）の時間ｔ３に示すように、温度の差分ΔＴが閾値ΔＴａを下回ることになり、該温度の差分ΔＴが再度閾値ΔＴａを超えるまで、潤滑油が供給されることはない。このように、本実施形態においては、段階的に潤滑油の圧力を増加させることで片当たりを解消する。
【００４９】
以上のように、本実施形態のジャーナル軸受１０によれば、接触支持面１１に片当たりが発生した際に、片当たり検出手段５０の検知に基づいた潤滑油供給手段４０の潤滑油供給動作により、該接触支持面１１に対して潤滑油を供給することができるため、接触支持面１１に作用する荷重を低減することができるとともに、該接触支持面による自動調心作用を促すことができる。
【００５０】
ここで、潤滑油が最大圧力Ｐｍａｘを超える過剰な圧力で供給された結果、軸受本体２０と軸受台３０とが当該潤滑油によって油膜分離されると、回転部２やジャーナル軸受１０に振動が生じ、回転部２の安定回転が妨げられる他、ジャーナル軸受１０の信頼性が失われてしまう。
【００５１】
これに対して本実施形態においては、潤滑油の圧力を段階的に大きくする構成とし、さらに、供給する潤滑油の圧力がＰｍａｘを超えると判断した場合には、該潤滑油の供給が行われることはないため、過剰な圧力の潤滑油が作用してしまうことを回避して、潤滑油による油膜分離を防止することができる。
【００５２】
さらに、潤滑油供給手段４０においては、片当たり検出手段５０による温度の差分ΔＴが閾値ΔＴａを越えた場合に潤滑油の供給動作を行い、該供給動作の開始時から供給間隔時間ｔｂ経過後における温度の差分ΔＴが、依然として閾値ΔＴａを超えている場合には、さらに高い圧力での前記潤滑油の供給動作を行う。  
ここで、潤滑油を供給後に接触支持面１１における自動調心作用が発現して片当たりが解消され始めてたとしても、これにより変化した温度を片当たり検出手段５０が検出するまでにはある程度の時間を要する。したがって、上記のように潤滑油の供給動作を一旦行った後、しばらく経過してからより大きな圧力の潤滑油の供給動作を行うこととすることで、自動調心作用を有効に活かすことができる。これにより、油膜分離を発生させることなく、潤滑油の供給量の節約も図りながら円滑に片当たりを抑制することができる。
【００５３】
さらに、本実施形態においては、潤滑油の圧力を単に段階的に大きくするのではなく、供給継続時間ｔａだけ潤滑油を供給した後に一旦供給を停止し、続いて潤滑油を供給する際には前回の供給動作よりも圧力の高い潤滑油を供給するといった段階的な供給動作が行われる。これによって、潤滑油の過剰な供給を回避しつつ、適切な供給圧力で自動調心作用を機能させることができ、滑油の供給量も節約しながら効果的に片当たり防止を図ることができる。
【００５４】
また、片当たりが発生した際には、接触支持面１１における軸線方向Ｏのいずれか一方側のみにおいて軸受本体２０と軸受台３０とが接触して摩擦熱が生じるといった原理を利用することで、接触支持面１１の軸線Ｏ方向両側に取り付けた温度センサ５１，５１の検出値の差分から容易に片当たりの度合いを取得することができる。
【００５５】
以上、本発明の実施形態について詳細に説明したが、本発明の技術的思想を逸脱しない限り、これらに限定されることはなく、多少の設計変更等も可能である。
例えば、本実施形態においては、片当たり検出手段５０として一対の温度センサ５１，５１を用いたが、これに代えて、一対の歪みゲージ等の応力検出センサを用いてもよい。即ち、片当たりが発生した際には、接触支持面１１における両側において軸受台３０に生じる応力に差分が生じることになる。この差分を片当たりの度合いとして取得することで、該片当たりを適切に把握することができる。
【００５６】
さらに、片当たり検出手段５０として、一対の変位センサを用いてもよい。片当たりが発生した際には、接触支持面１１における両側において軸受台３０の変位量に差分が生じることになる。この差分を片当たりの度合いとして取得することで、該片当たりを適切に把握することができる。
【００５７】
また、潤滑油の供給開始から供給継続時間ｔａ経過時に該潤滑油の供給を停止した際に、回転軸３の片当たりの度合いを検知し、当該片当たりが解消される方向にあれば「調心中」の信号を発し、片当たりの度合いに変化がなければ「変化なし」の信号を発し、さらに、片当たりが大きくなる方向にあれば「アラーム」の信号を発するようにしてもよい。これにより、潤滑油の供給が適切か否かを把握することができ、より円滑かつ安全に片当たりを解消することが可能となる
【００５８】
また、実施形態における潤滑油供給手段４０は、供給継続時間ｔａだけ潤滑油を供給した後に一旦供給を停止し、その後、間をあけてしばらくしてから、即ち、潤滑油の供給開始から供給間隔時間ｔｂ経過後に一段階高い圧力の潤滑油を供給することとしたが、これに限定されることなく、潤滑油の供給動作の間に間隔をあけずともよく、連続的かつ段階的に潤滑油を供給する構成であってもよい。これによっても、円滑に片当たりを抑制することができる。
【００５９】
さらに、本実施形態においては、軸受本体２０の外周面２０ｂと軸受台３０の球面座３０ｂ、即ち、接触支持面１１を球面状としたが、例えば非球面状であってもよく、即ち、軸線Ｏを含む断面における接触支持面１１の形状が軸線Ｏ径方向外側に向かって凸となる円弧状をなしていればよい。これによって、接触支持面１１による自動調心作用を発現することができる。
【００６０】
さらに、潤滑油供給手段４０や片当たり検出手段５０は、軸受台３０に設ける構成のみならず、軸受本体２０に設けられた構成であってもよい。
また、本発明は例えばティルティングパッドを有するジャーナル軸受等にも適用することができ、即ち、軸受の種類を選ばずに適用することが可能である。これにより、種々のジャーナル軸受における片当たりを解消することができる。
【符号の説明】
【００６１】
１    回転機械
２    回転部
３    回転軸
４    ケーシング
１０  ジャーナル軸受
１０Ａ       ジャーナル軸受
１０Ｂ       ジャーナル軸受
１１  接触支持面
２０  軸受本体
２０ａ       軸受面
２０ｂ       外周面
２１  軸受メタル
２２  軸受ハウジング
３０  軸受台
３０ａ       孔部
３０ｂ       球面座
３１  油溝
４０  潤滑油供給手段
４１  潤滑油供給路
４２  潤滑油貯蔵部
４３  ポンプ装置
４４  ポンプ本体
４５  駆動源
４６  制御部
５０  片当たり検出手段
５１  温度センサ
【図１】
0005601902.tif 000002
【図２】
0005601902.tif 000003
【図３】
0005601902.tif 000004
【図４】
0005601902.tif 000005